(57)【特許請求の範囲】
【請求項１】
受動光ネットワーク、ＰＯＮ、システムにおける通信方法であって、前記ＰＯＮシステムは光回線終端装置、ＯＬＴ、及び少なくとも１つの光ネットワークユニット、ＯＮＵ、を含み、前記方法は、
前記ＯＬＴにより、前記少なくとも１つのＯＮＵのうちの第１ＯＮＵにより第１アップストリームチャネルを通じて送信された第１メッセージを受信するステップと、
前記ＯＬＴにより、前記第１ＯＮＵの第１ラウンドトリップ時間、ＲＴＴ、を前記第１メッセージの受信時点に基づき決定するステップと、
前記ＯＬＴにより、時間ウインドウを第１ＲＴＴに基づき決定するステップと、
前記ＯＬＴにより、第１指示情報を前記第１ＯＮＵへダウンストリームチャネルを通じて送信するステップであって、前記第１指示情報は前記時間ウインドウを含む、ステップと、
前記ＯＬＴにより、前記第１ＯＮＵにより第２アップストリームチャネルを通じて前記時間ウインドウ内で送信された第２メッセージを受信するステップと、
前記ＯＬＴにより、前記第１ＯＮＵの第２ＲＴＴを前記第２メッセージの受信時点に基づき決定するステップと、
前記ＯＬＴにより、前記第１ＯＮＵの登録動作を前記第２ＲＴＴに基づき完了するステップと、
を含む方法。
【請求項２】
前記第２アップストリームチャネルに対応する周波数ドメインリソースは、前記第１アップストリームチャネルに対応する周波数ドメインリソースと異なる、請求項１に記載の方法。
【請求項３】
前記ＯＬＴにより、前記少なくとも１つのＯＮＵのうちの第１ＯＮＵにより第１アップストリームチャネルを通じて送信された第１メッセージを受信する前記ステップの前に、前記方法は、
前記ＯＬＴにより、第２指示情報を前記第１ＯＮＵへ前記ダウンストリームチャネルを通じて送信するステップであって、前記第２指示情報は、前記第１ＯＮＵに登録を実行するよう指示するために使用される、ステップ、を更に含み、
前記ＯＬＴにより、前記少なくとも１つのＯＮＵのうちの第１ＯＮＵにより第１アップストリームチャネルを通じて送信された第１メッセージを受信する前記ステップは、
前記ＯＬＴにより、前記第１ＯＮＵにより前記第１アップストリームチャネルを通じて送信された、前記第２指示情報に応答する前記第１メッセージを受信するステップを含む、請求項１又は２に記載の方法。
【請求項４】
前記ＯＬＴが前記第１指示情報を前記第１ＯＮＵへ前記ダウンストリームチャネルを通じて送信するとき、前記方法は、
前記ＯＬＴにより、許可リソースを前記少なくとも１つのＯＮＵのうちの第２ＯＮＵへ前記ダウンストリームチャネルを通じて送信するステップであって、前記許可リソースに対応する時間ドメイン単位は、前記時間ウインドウに対応する時間ドメイン単位からずらされる、ステップと、
前記ＯＬＴにより、前記第２ＯＮＵにより前記第２アップストリームチャネルを通じて送信されたアップストリームサービスデータを受信するステップと、
を更に含む請求項１乃至３のいずれか一項に記載の方法。
【請求項５】
前記ＯＬＴにより、前記第１ＯＮＵの登録動作を前記第２ＲＴＴに基づき完了する前記ステップは、
前記第１ＯＮＵが前記登録動作を完了するように、前記ＯＬＴにより、補償遅延又は帯域幅許可を前記第１ＯＮＵへ前記ダウンストリームチャネルを通じて前記第２ＲＴＴに基づき送信するステップを含む、請求項１乃至４のいずれか一項に記載の方法。
【請求項６】
前記第１メッセージは光信号であり、前記光信号は、前記第１ＯＮＵのシリアル番号ＳＮ又は媒体アクセス制御、ＭＡＣ、アドレスを伝達する、請求項１乃至５のいずれか一項に記載の方法。
【請求項７】
受動光ネットワーク、ＰＯＮ、システムにおける通信方法であって、前記ＰＯＮシステムは光回線終端装置、ＯＬＴ、及び少なくとも１つの光ネットワークユニット、ＯＮＵ、を含み、前記方法は、
前記少なくとも１つのＯＮＵのうちの第１ＯＮＵにより、第１メッセージを前記ＯＬＴへ第１アップストリームチャネルを通じて送信するステップであって、前記第１メッセージは、前記ＯＬＴにより、前記第１ＯＮＵの第１ラウンドトリップ時間、ＲＴＴ、を前記第１メッセージの受信時点に基づき決定するために使用される、ステップと、
前記第１ＯＮＵにより、前記ＯＬＴによりダウンストリームチャネルを通じて送信された第１指示情報を受信するステップであって、前記第１指示情報は時間ウインドウを含み、前記時間ウインドウは、前記ＯＬＴにより第１ＲＴＴに基づき決定される、ステップと、
前記第１ＯＮＵにより、前記時間ウインドウ内で第２アップストリームチャネルを通じて第２メッセージを送信するステップであって、前記第２メッセージは、前記ＯＬＴにより、前記第１ＯＮＵの第２ＲＴＴを前記第２メッセージの受信時点に基づき決定するために使用される、ステップと、
前記第１ＯＮＵにより、前記ＰＯＮシステムに前記時間ウインドウに基づき登録するステップと、
を含む方法。
【請求項８】
前記第２アップストリームチャネルに対応する周波数ドメインリソースは、前記第１アップストリームチャネルに対応する周波数ドメインリソースと異なる、請求項７に記載の方法。
【請求項９】
第１ＯＮＵにより、第１メッセージを前記ＯＬＴへ第１アップストリームチャネルを通じて送信する前記ステップの前に、前記方法は、
前記第１ＯＮＵにより、前記ＯＬＴにより前記ダウンストリームチャネルを通じて送信された第２指示情報を受信するステップであって、前記第２指示情報は、前記第１ＯＮＵに登録を実行するよう指示するために使用される、ステップ、を更に含み、
第１ＯＮＵにより、第１メッセージを前記ＯＬＴへ第１アップストリームチャネルを通じて送信する前記ステップは、
前記第１ＯＮＵにより、前記ＯＬＴへ前記第１アップストリームチャネルを通じて、前記第２指示情報に応答する前記第１メッセージを送信するステップを含む、請求項７又は８に記載の方法。
【請求項１０】
前記第１ＯＮＵにより、前記ＰＯＮシステムに、前記時間ウインドウに基づき登録する前記ステップは、
前記第１ＯＮＵにより、前記ＯＬＴにより前記ダウンストリームチャネルを通じて送信された補償遅延又は帯域幅許可を受信して、登録動作を完了するステップを含む、請求項７乃至９のいずれか一項に記載の方法。
【請求項１１】
受動光ネットワーク、ＰＯＮ、システムにおける光回線終端装置、ＯＬＴ、であって、前記ＰＯＮシステムは前記ＯＬＴ及び少なくとも１つの光ネットワークユニット、ＯＮＵ、を含み、前記ＯＬＴは、送信機、受信機、及びプロセッサを含み、前記受信機及び前記送信機は波長分割多重化器を用いて接続され、
前記受信機は、前記少なくとも１つのＯＮＵのうちの第１ＯＮＵにより第１アップストリームチャネルを通じて送信された第１メッセージを受信するよう構成され、
前記プロセッサは、第１ラウンドトリップ時間、ＲＴＴ、を前記第１メッセージの受信時点に基づき決定し、時間ウインドウを第１ＲＴＴに基づき決定するよう構成され、
前記送信機は、第１指示情報を前記第１ＯＮＵへダウンストリームチャネルを通じて送信するよう構成され、前記第１指示情報は前記時間ウインドウを含み、
前記受信機は、前記第１ＯＮＵにより第２アップストリームチャネルを通じて前記時間ウインドウ内で送信された第２メッセージを受信するよう更に構成され、
前記プロセッサは、前記第１ＯＮＵの第２ＲＴＴを前記第２メッセージの受信時点に基づき決定し、前記第１ＯＮＵの登録動作を前記第２ＲＴＴに基づき完了するよう更に構成される、
ＯＬＴ。
【請求項１２】
前記第２アップストリームチャネルに対応する周波数ドメインリソースは、前記第１アップストリームチャネルに対応する周波数ドメインリソースと異なる、請求項１１に記載のＯＬＴ。
【請求項１３】
前記送信機は、
第２指示情報を前記第１ＯＮＵへ前記ダウンストリームチャネルを通じて送信するよう更に構成され、前記第２指示情報は、前記第１ＯＮＵに登録を実行するよう指示するために使用され、
前記受信機は、具体的に、
前記第１ＯＮＵにより前記第１アップストリームチャネルを通じて送信された、前記第２指示情報に応答する前記第１メッセージを受信するよう構成される、請求項１１又は１２に記載のＯＬＴ。
【請求項１４】
前記送信機は、
許可リソースを前記少なくとも１つのＯＮＵのうちの第２ＯＮＵへ前記ダウンストリームチャネルを通じて送信するよう更に構成され、前記許可リソースに対応する時間ドメイン単位は前記時間ウインドウに対応する時間ドメイン単位とずらされ、
前記受信機は、
前記第２ＯＮＵにより前記第２アップストリームチャネルを通じて送信されたアップストリームサービスデータを受信するよう更に構成される、請求項１１乃至１３のいずれか一項に記載のＯＬＴ。
【請求項１５】
前記プロセッサは、具体的に、
前記第１ＯＮＵが前記登録動作を完了するように、補償遅延又は帯域幅許可を前記第１ＯＮＵへ前記ダウンストリームチャネルを通じて前記第２ＲＴＴに基づき送信するよう構成される、請求項１１乃至１４のいずれか一項に記載のＯＬＴ。
【請求項１６】
前記第１メッセージは光信号であり、前記光信号は、前記第１ＯＮＵのシリアル番号ＳＮ又は媒体アクセス制御、ＭＡＣ、アドレスを伝達する、請求項１１乃至１５のいずれか一項に記載のＯＬＴ。
【請求項１７】
受動光ネットワーク、ＰＯＮ、システムにおける光ネットワークユニット、ＯＮＵ、であって、前記ＰＯＮシステムは光回線終端装置、ＯＬＴ、及び少なくとも１つのＯＮＵを含み、前記ＯＮＵは、送信機、受信機、及びプロセッサを含み、前記受信機及び前記送信機は波長分割多重化器を用いて接続され、
前記送信機は、第１メッセージを前記ＯＬＴへ第１アップストリームチャネルを通じて送信するよう構成され、前記第１メッセージは、前記ＯＬＴにより前記ＯＮＵの第１ラウンドトリップ時間、ＲＴＴ、を前記第１メッセージの受信時点に基づき決定するために使用され、
前記受信機は、前記ＯＬＴによりダウンストリームチャネルを通じて送信された第１指示情報を受信するよう構成され、前記第１指示情報は時間ウインドウを含み、前記時間ウインドウは、前記ＯＬＴにより第１ＲＴＴに基づき決定され、
前記送信機は、第２メッセージを第２アップストリームチャネルを通じて前記時間ウインドウ内で送信するよう更に構成され、前記第２メッセージは、前記ＯＬＴにより、前記ＯＮＵの第２ＲＴＴを前記第２メッセージの受信時点に基づき決定するために使用され、
前記プロセッサは、前記ＯＮＵを前記ＰＯＮシステムに前記時間ウインドウに基づき登録するよう構成される、
ＯＮＵ。
【請求項１８】
前記第２アップストリームチャネルに対応する周波数ドメインリソースは、前記第１アップストリームチャネルに対応する周波数ドメインリソースと異なる、請求項１７に記載のＯＮＵ。
【請求項１９】
前記受信機は、
前記ＯＮＵにより、前記ＯＬＴにより前記ダウンストリームチャネルを通じて送信された第２指示情報を受信するよう更に構成され、前記第２指示情報は、前記ＯＮＵに登録を実行するよう指示するために使用され、
前記送信機は、具体的に、
前記ＯＬＴへ前記第１アップストリームチャネルを通じて、前記第２指示情報に応答する前記第１メッセージを送信するよう構成される、請求項１７又は１８に記載のＯＮＵ。
【請求項２０】
前記プロセッサは、具体的に、
前記ＯＬＴにより前記ダウンストリームチャネルを通じて送信された補償遅延又は帯域幅許可を受信して、登録動作を完了するよう構成される、請求項１７乃至１９のいずれか一項に記載のＯＮＵ。
【請求項２１】
受動光ネットワーク、ＰＯＮ、システムにおける光回線終端装置、ＯＬＴ、であって、前記ＰＯＮシステムは前記ＯＬＴ及び少なくとも１つの光ネットワークユニット、ＯＮＵ、を含み、前記ＯＬＴは、
前記少なくとも１つのＯＮＵのうちの第１ＯＮＵにより第１アップストリームチャネルを通じて送信された第１メッセージを受信するよう構成される受信モジュールと、
前記第１ＯＮＵの第１ラウンドトリップ時間、ＲＴＴ、を前記第１メッセージの受信時点に基づき決定し、時間ウインドウを第１ＲＴＴに基づき決定するよう構成される処理モジュールと、
第１指示情報を前記第１ＯＮＵへダウンストリームチャネルを通じて送信するよう構成される送信モジュールであって、前記第１指示情報は前記時間ウインドウを含む、送信モジュールと、
を含み、
前記受信モジュールは、前記第１ＯＮＵにより第２アップストリームチャネルを通じて前記時間ウインドウ内で送信された第２メッセージを受信するよう更に構成され、
前記処理モジュールは、前記第１ＯＮＵの第２ＲＴＴを前記第２メッセージの受信時点に基づき決定し、前記第１ＯＮＵの登録動作を前記第２ＲＴＴに基づき完了するよう更に構成される、ＯＬＴ。
【請求項２２】
前記第２アップストリームチャネルに対応する周波数ドメインリソースは、前記第１アップストリームチャネルに対応する周波数ドメインリソースと異なる、請求項２１に記載のＯＬＴ。
【請求項２３】
前記送信モジュールは、
第２指示情報を前記第１ＯＮＵへ前記ダウンストリームチャネルを通じて送信するよう更に構成され、前記第２指示情報は、前記第１ＯＮＵに登録を実行するよう指示するために使用され、
前記受信モジュールは、具体的に、
前記第１ＯＮＵにより前記第１アップストリームチャネルを通じて送信された、前記第２指示情報に応答する前記第１メッセージを受信するよう構成される、請求項２１又は２２に記載のＯＬＴ。
【請求項２４】
前記送信モジュールは、
許可リソースを前記少なくとも１つのＯＮＵのうちの第２ＯＮＵへ前記ダウンストリームチャネルを通じて送信するよう更に構成され、前記許可リソースに対応する時間ドメイン単位は前記時間ウインドウに対応する時間ドメイン単位とずらされ、
前記受信モジュールは、
前記第２ＯＮＵにより前記第２アップストリームチャネルを通じて送信されたアップストリームサービスデータを受信するよう更に構成される、請求項２１乃至２３のいずれか一項に記載のＯＬＴ。
【請求項２５】
前記処理モジュールは、具体的に、
前記第１ＯＮＵが前記登録動作を完了するように、補償遅延又は帯域幅許可を前記第１ＯＮＵへ前記ダウンストリームチャネルを通じて前記第２ＲＴＴに基づき送信するよう構成される、請求項２１乃至２４のいずれか一項に記載のＯＬＴ。
【請求項２６】
前記第１メッセージは光信号であり、前記光信号は、前記第１ＯＮＵのシリアル番号ＳＮ又は媒体アクセス制御、ＭＡＣ、アドレスを伝達する、請求項２１乃至２５のいずれか一項に記載のＯＬＴ。
【請求項２７】
受動光ネットワーク、ＰＯＮ、システムにおける光ネットワークユニット、ＯＮＵ、であって、前記ＰＯＮシステムは光回線終端装置、ＯＬＴ、及び少なくとも１つのＯＮＵを含み、前記ＯＮＵは、
第１メッセージを前記ＯＬＴへ第１アップストリームチャネルを通じて送信するよう構成される送信モジュールであって、前記第１メッセージは、前記ＯＬＴにより前記ＯＮＵの第１ラウンドトリップ時間、ＲＴＴ、を前記第１メッセージの受信時点に基づき決定するために使用される、送信モジュールと、
前記ＯＬＴによりダウンストリームチャネルを通じて送信された第１指示情報を受信するよう構成される受信モジュールであって、前記第１指示情報は時間ウインドウを含み、前記時間ウインドウは、前記ＯＬＴにより第１ＲＴＴに基づき決定される、受信モジュールと、
ここで、前記送信モジュールは、第２メッセージを第２アップストリームチャネルを通じて前記時間ウインドウ内で送信するよう更に構成され、前記第２メッセージは、前記ＯＬＴにより、前記ＯＮＵの第２ＲＴＴを前記第２メッセージの受信時点に基づき決定するために使用され、
前記ＯＮＵを前記ＰＯＮシステムに前記時間ウインドウに基づき登録するよう構成される処理モジュールと、
を含むＯＮＵ。
【請求項２８】
前記第２アップストリームチャネルに対応する周波数ドメインリソースは、前記第１アップストリームチャネルに対応する周波数ドメインリソースと異なる、請求項２７に記載のＯＮＵ。
【請求項２９】
前記受信モジュールは、
前記ＯＮＵにより前記ダウンストリームチャネルを通じて送信された第２指示情報を受信するよう更に構成され、前記第２指示情報は、前記ＯＮＵに登録を実行するよう指示するために使用され、
前記送信モジュールは、具体的に、
前記ＯＬＴへ前記第１アップストリームチャネルを通じて、前記第２指示情報に応答する前記第１メッセージを送信するよう構成される、請求項２７又は２８に記載のＯＮＵ。
【請求項３０】
前記処理モジュールは、具体的に、
前記ＯＬＴにより前記ダウンストリームチャネルを通じて送信された補償遅延又は帯域幅許可を受信して、登録動作を完了するよう構成される、請求項２７乃至２９のいずれか一項に記載のＯＮＵ。
【発明の詳細な説明】
【技術分野】
【０００１】
本願は、光通信の分野に関し、より具体的には、受動光ネットワークシステムにおける通信方法、光回線終端装置、及び光ネットワークユニットに関する。
【背景技術】
【０００２】
受動光ネットワーク（Passive  Optical  Network、PON）は、１対多地点ネットワーク技術であり、通常、中央局に置かれる光回線終端装置（Optical  Line  Terminal、OLT）装置、ユーザ端に置かれる複数の光ネットワークユニット（Optical  Network  Unit、ONU）装置、及びＯＬＴ装置と複数のＯＮＵ装置との間に置かれる光分配ネットワーク（Optical  Distribution  Network、ODN）を含む。
【０００３】
ＰＯＮシステムでは、１対多地点ネットワーク技術により、新たに追加されるＯＮＵ装置は、ＯＬＴ装置における登録及び起動を完了した後にのみ、アップストリームサービスデータをＯＬＴへアップストリームチャネルを通じて送信できる。イーサネット受動光ネットワーク（Ethernet  Passive  Optical  Network、EPON）システムでは、ＯＬＴ装置は、静的ウインドウ（Quiet  Zone）を開くことにより、新たに追加されるＯＮＵ装置によりアップストリームチャネルを通じて送信された登録応答パケットを受信し、論理リンク識別子（Logical  Link  Identifier、LLID）を新たに追加されるＯＮＵ装置に、登録応答パケット内で伝達される媒体アクセス制御（Media  Access  Control、MAC）アドレスに基づき割り当て、新たに追加されるＯＮＵ装置のための測距を完了する。ギガビットの可能な受動光ネットワーク（Gigabit-Capable  Passive  Optical  Network、GPON）システムでは、ＯＬＴ装置は、静的ウインドウを開くことにより、新たに追加されるＯＮＵ装置により送信された登録応答パケットを受信し、ＯＮＵ  ＩＤを登録応答パケット内で伝達されるシリアル番号（Serial  Number、SN）に基づき割り当て、さらに、新たに追加されるＯＮＵ装置のための測距を完了する。
【０００４】
登録を完了した後に、登録されたＯＮＵ装置は、アップストリームサービスデータをＯＬＴ装置へアップストリームチャネルを通じ時分割多元接続（Time  Division  Multiple  Access、TDMA）を通じて、ＯＬＴ装置により割り当てられたアップストリーム送信タイムスロットで送信して、異なるＯＮＵにより送信されるアップストリームサービスデータ間のアップストリームチャネル上での衝突を回避する。さらに、登録応答パケットとアップストリームサービスデータとの間のアップストリームチャネル上での衝突を回避するために、新たに追加されるＯＮＵ装置の登録中に、ＯＬＴは登録されるＯＮＵ装置に対する帯域幅の許可を停止する。具体的に言うと、登録されるＯＮＵは、アップストリームサービスデータの送信を停止する。
【０００５】
ＰＯＮシステムでは、登録されたＯＮＵ装置は、静的ウインドウが終了した後にのみ、アップストリームサービスデータを送信できる。したがって、比較的大きな遅延が、アップストリームサービスデータの送信中に存在し、低遅延サービスのシステム遅延要件を満たすことができない。したがって、効果的なソリューションが、ＯＮＵのウインドウイング起動により引き起こされる遅延を除去するために、緊急に提供される必要がある。
【発明の概要】
【０００６】
本願の実施形態は、受動光ネットワークシステムにおける通信方法、光回線終端装置、及び光ネットワークユニットを提供し、その結果、ウインドウイング起動により引き起こされる遅延が効果的に削減され、実装が容易であり、コストが低減される。
【０００７】
第１の態様によると、受動光ネットワークシステムにおける通信方法が提供される。前記ＰＯＮシステムはＯＬＴ及び少なくとも１つのＯＮＵを含み、前記方法は、
前記ＯＬＴにより、前記少なくとも１つのＯＮＵのうちの第１ＯＮＵにより第１アップストリームチャネルを通じて送信された第１メッセージを受信するステップと、
前記ＯＬＴにより、前記第１ＯＮＵの第１ラウンドトリップ時間ＲＴＴを前記第１メッセージの受信時点に基づき決定するステップと、
前記ＯＬＴにより、時間ウインドウを前記第１ＲＴＴに基づき決定するステップと、
前記ＯＬＴにより、第１指示情報を前記第１ＯＮＵへダウンストリームチャネルを通じて送信するステップであって、前記第１指示情報は前記時間ウインドウを含む、ステップと、
前記ＯＬＴにより、前記第１ＯＮＵにより第２アップストリームチャネルを通じて前記時間ウインドウ内で送信された第２メッセージを受信するステップと、
前記ＯＬＴにより、前記第１ＯＮＵの第２ＲＴＴを前記第２メッセージの受信時点に基づき決定するステップと、
前記ＯＬＴにより、前記第１ＯＮＵの登録動作を前記第２ＲＴＴに基づき完了するステップと、を含む。
【０００８】
本願の本実施形態の受動光ネットワークＰＯＮシステムにおける通信方法によると、ＯＬＴは、少なくとも１つのＯＮＵのうちの第１ＯＮＵにより第１アップストリームチャネルを通じて送信された第１メッセージを受信し、第１ＯＮＵの第１ＲＴＴを第１メッセージの受信時点に基づき決定し、時間ウインドウを第１ＲＴＴに基づき決定し、第１ＯＮＵに登録を時間ウインドウ内で実行するよう指示し、精細な第２ＲＴＴを取得する。その結果、ウインドウイング起動により引き起こされる遅延は効果的に削減でき、実装は容易であり、コストは低減される。
【０００９】
本願の本実施形態では、第１ラウンドトリップ時間ＲＴＴは、ＯＬＴと第１ＯＮＵとの間のラウンドトリップ時間である。任意で、第１ＲＴＴは、ダウンストリーム送信遅延、第１ＯＮＵの応答時間、及びアップストリーム送信遅延を含んでよい。
【００１０】
本願の本実施形態では、第１ＯＮＵは、ＰＯＮに登録しないＯＮＵであり、又は未登録ＯＮＵと呼ばれてよい。
【００１１】
本願の本実施形態では、ＯＬＴは、第１ＯＮＵとＯＬＴとの間のラウンドトリップ時間ＲＴＴを、第１メッセージの受信された時点に基づき計算して、ＯＮＵの測定距離を概算し、又はＯＮＵの位置を近似決定してよい。ＯＬＴは、時間ウインドウを測定距離に基づき計算してよく、時間ウインドウは登録ウインドウとも呼ばれることがある。ここで、ＯＬＴは、もはや、２０ｋｍの距離に対応する２５０μｓの時間ウインドウを必要とせず、より小さな時間ウインドウを測定距離に基づき再計算する。時間ウインドウはより小さく、したがって別のオンラインＯＮＵの通常サービスの遅延にあまり影響しない。
【００１２】
本願の本実施形態では、第２メッセージは登録情報を含んでよい。
【００１３】
任意で、第２アップストリームチャネルに対応する周波数ドメインリソースは、第１アップストリームチャネルに対応する周波数ドメインリソースと異なる。
【００１４】
本願の本実施形態では、第１アップストリームチャネルは、アップストリーム登録チャネルとも呼ばれてよく、第２アップストリームチャネルは、アップストリームサービスチャネルとも呼ばれてよい。例えば、第１ＯＮＵにより送信された第１メッセージは、アップストリーム登録チャネルを通じて送信されてよい。ここで導入される「アップストリーム登録チャネル」は、周波数ドメインにおいてアップストリームサービスチャネルと分離されたチャネルであってよい。具体的に、例えば、ＯＮＵの第１メッセージは、ＯＮＵのアップストリーム登録チャネルを通じて、０〜１０ＭＨｚの周波数帯を用いて送信され、ＯＮＵのデータサービスは、アップストリームサービスチャネルを通じて、１０メガヘルツＭＨｚ以上の周波数帯を用いて送信される。代替として、例えば、１０Ｇ  ＰＯＮシステムでは、ＯＮＵの第１メッセージは、ＯＮＵのアップストリーム登録チャネルを通じて、１０ギガヘルツＧＨｚより大きい周波数帯を用いて送信され、データサービスは、アップストリームサービスチャネルを通じて、０〜１０ＧＨｚの周波数帯を用いて送信される。ここで、アップストリームサービスチャネル及びアップストリーム登録チャネルは、周波数ドメインにおいて分離される。その結果、アップストリームサービスチャネルとアップストリーム登録チャネルとの間の相互干渉は大幅に低減できる。
【００１５】
任意で、第１メッセージは、未変調光信号又は変調光信号であってよい。具体的に、第１メッセージが未変調光信号である（例えば、非常に短時間の間に光を放射するパルス信号であってよい）とき、ＯＬＴは、未変調光信号の強度を検出することにより、第１ＯＮＵが第１メッセージを送信したか否かを決定してよい。任意で、光信号の強度が閾を超えることを検出すると、ＯＬＴは、ＯＮＵが第１メッセージを送信すると見なしてよい。
【００１６】
ここで、非常に短時間の間、光を放射する信号は、第１メッセージとして使用される。言い換えると、第１ＯＮＵは非常に短いタイムスロット内でデータを送信してよい。したがって、複数の未登録ＯＮＵがあるとき、より長時間の間、光を放射する又は連続的に光を放射する信号と比べて、非常に短い時間の間に光を放射する信号は、複数の未登録ＯＮＵが互いに衝突する確率を大幅に低減するために使用されてよく、それによりデータチャネルに与える影響を低減する。
【００１７】
任意で、第１メッセージは、第１ＯＮＵの特定内容を伝達してよく又は伝達しなくてよい。これは限定されない。
【００１８】
幾つかの可能な実装では、前記ＯＬＴにより、前記少なくとも１つのＯＮＵのうちの第１ＯＮＵにより第１アップストリームチャネルを通じて送信された第１メッセージを受信する前記ステップの前に、前記方法は、
前記ＯＬＴにより、第２指示情報を前記第１ＯＮＵへ前記ダウンストリームチャネルを通じて送信するステップであって、前記第２指示情報は、前記第１ＯＮＵに登録を実行するよう指示するために使用される、ステップ、を更に含み、
前記ＯＬＴにより、前記少なくとも１つのＯＮＵのうちの第１ＯＮＵにより第１アップストリームチャネルを通じて送信された第１メッセージを受信する前記ステップは、
前記ＯＬＴにより、前記第１ＯＮＵにより前記第１アップストリームチャネルを通じて送信された、前記第２指示情報に応答する第１メッセージを受信するステップを含む。
【００１９】
ここで、第１メッセージは、第１ＯＮＵが指示情報に応答するメッセージとして理解されてよい。任意で、指示情報を配信するとき、ＯＬＴは、帯域幅割り当て情報も別の可能なオンラインＯＮＵへ配信してよい。
【００２０】
幾つかの可能な実装では、ＯＬＴが第１指示情報を第１ＯＮＵへダウンストリームチャネルを通じて送信するとき、方法は、
ＯＬＴにより、許可リソースを、少なくとも１つのＯＮＵのうちの第２ＯＮＵへダウンストリームチャネルを通じて送信するステップであって、許可リソースに対応する時間ドメイン単位は時間ウインドウに対応する時間ドメイン単位とずらされる、ステップと、
ＯＬＴにより、第２ＯＮＵにより第２アップストリームチャネルを通じて送信されたアップストリームサービスデータを受信するステップと、を更に含む。
【００２１】
ここで、第１ＯＮＵの時間ウインドウはオンラインＯＮＵの帯域幅許可とずらされるので、第１ＯＮＵのアップストリームサービスチャネル上の登録は、オンラインＯＮＵのサービスデータの受信と干渉しない。
【００２２】
本願の本実施形態における時間ウインドウは、もはや、従来技術における２０ｋｍに対応する２５０μｓのウインドウではなく、２５０μｓのウインドウより小さいウインドウであり、したがって、オンラインＯＮＵのサービスデータの遅延にあまり影響しない。
【００２３】
任意で、第１メッセージは光信号であり、光信号は、第１ＯＮＵのシリアル番号ＳＮ又は媒体アクセス制御ＭＡＣアドレスを伝達する。
【００２４】
幾つかの可能な実装では、前記ＯＬＴにより、前記第１ＯＮＵの登録動作を前記第２ＲＴＴに基づき完了する前記ステップは、
前記第１ＯＮＵが前記登録動作を完了するように、前記ＯＬＴにより、補償遅延又は帯域幅許可を前記第１ＯＮＵへ前記ダウンストリームチャネルを通じて前記第２ＲＴＴに基づき送信するステップを含む。
【００２５】
任意で、ＯＬＴは、第１ＯＮＵへダウンストリームチャネルを通じて、第１ＯＮＵに登録を実行するよう指示するために使用されるＢＷＭＡＰ（Bandwidth  Map、帯域幅マップ）許可情報又は発見許可（discovery  grant）メッセージを送信してよい。
【００２６】
任意で、ＯＬＴは、さらに、第２ＯＮＵにサービス通信を実行するよう指示するために使用されるＢＷＭＡＰ許可情報又は通常ゲート（normal  grant）メッセージを同時に配信してよい。
【００２７】
第２の態様によると、受動光ネットワークシステムにおける通信方法が提供される。前記ＰＯＮシステムはＯＬＴ及び少なくとも１つのＯＮＵを含み、前記方法は、
前記少なくとも１つのＯＮＵのうちの第１ＯＮＵにより、第１メッセージを前記ＯＬＴへ第１アップストリームチャネルを通じて送信するステップであって、前記第１メッセージは、前記ＯＬＴにより、前記第１ＯＮＵの第１ラウンドトリップ時間ＲＴＴを前記第１メッセージの受信時点に基づき決定するために使用される、ステップと、
前記第１ＯＮＵにより、前記ＯＬＴによりダウンストリームチャネルを通じて送信された第１指示情報を受信するステップであって、前記第１指示情報は時間ウインドウを含み、前記時間ウインドウは、前記ＯＬＴにより前記第１ＲＴＴに基づき決定される、ステップと、
前記第１ＯＮＵにより、第２メッセージを第２アップストリームチャネルを通じて前記時間ウインドウ内で送信するステップであって、前記第２メッセージは、前記ＯＬＴにより、前記第１ＯＮＵの第２ＲＴＴを前記第２メッセージの受信時点に基づき決定するために使用される、ステップと、
前記第１ＯＮＵにより、前記ＰＯＮシステムに前記時間ウインドウに基づき登録するステップと、を含む。
【００２８】
本願の本実施形態における受動光ネットワークＰＯＮシステムにおける通信方法によると、第１の態様における方法に対応して、第１ＯＮＵは、第１メッセージをＯＬＴへ送信し、ここで第１メッセージはＯＬＴにより第１ＯＮＵの第１ラウンドトリップ時間ＲＴＴを決定するために使用され、第１ＯＮＵにより送信された時間ウインドウを受信し、及び時間ウインドウ内で登録を実行する。その結果、ＯＬＴは精細な第２ＲＴＴを計算する。したがって、ウインドウイング起動により引き起こされる遅延は効果的に低減され得る。要するに、第１の態様におけるものと同様の用語及び概念は再び記載されない。
【００２９】
任意で、第２アップストリームチャネルに対応する周波数ドメインリソースは、第１アップストリームチャネルに対応する周波数ドメインリソースと異なる。
【００３０】
幾つかの可能な実装では、前記第１ＯＮＵにより、第１メッセージをＯＬＴへ第１アップストリームチャネルを通じて送信する前記ステップの前に、前記方法は、
前記第１ＯＮＵにより、前記ＯＬＴにより前記ダウンストリームチャネルを通じて送信された第２指示情報を受信するステップであって、前記第２指示情報は、前記第１ＯＮＵに登録を実行するよう指示するために使用される、ステップ、を更に含み、
前記第１ＯＮＵにより、第１メッセージを前記ＯＬＴへ第１アップストリームチャネルを通じて送信する前記ステップは、
前記第１ＯＮＵにより、前記ＯＬＴへ前記第１アップストリームチャネルを通じて、前記第２指示情報に応答する前記第１メッセージを送信するステップを含む。
【００３１】
幾つかの可能な実装では、前記第１ＯＮＵにより、前記ＰＯＮシステムに、前記時間ウインドウに基づき登録する前記ステップは、
前記第１ＯＮＵにより、前記ＯＬＴにより前記ダウンストリームチャネルを通じて送信された補償遅延又は帯域幅許可を受信して、登録動作を完了するステップを含む。
【００３２】
第３の態様によると、受動光ネットワークにおける光回線終端装置ＯＬＴが提供される。前記ＯＬＴは、受信機、送信機、及びプロセッサを含み、第１の態様及び第１の態様の可能な実装のうちのいずれか１つにおける方法を実行するよう構成される。
【００３３】
第４の態様によると、受動光ネットワークにおける光ネットワークユニットＯＮＵが提供される。前記ＯＮＵは、受信機、送信機、及びプロセッサを含み、第２の態様及び第２の態様の可能な実装のうちのいずれか１つにおける方法を実行するよう構成される。
【００３４】
第５の態様によると、受動光ネットワークにおける光回線終端装置ＯＬＴが提供され、第１の態様及び第１の態様の可能な実装のうちのいずれか１つにおける方法を実行するよう構成される。具体的に、機器は、第１の態様又は第１の態様の可能な実装のうちのいずれか１つにおける方法を実行するよう構成されるユニットを含む。
【００３５】
第６の態様によると、受動光ネットワークにおける光ネットワークユニットＯＮＵが提供され、第２の態様及び第２の態様の可能な実装のうちのいずれか１つにおける方法を実行するよう構成される。具体的に、機器は、第２の態様又は第２の態様の可能な実装のうちのいずれか１つにおける方法を実行するよう構成されるユニットを含む。
【００３６】
第７の態様によると、コンピュータ可読記憶媒体が提供される。コンピュータ可読記憶媒体は、プログラムを格納し、該プログラムは、ＯＬＴに、第１の態様及び第１の態様の実装のうちのいずれか１つにおける受動光ネットワークＰＯＮシステムにおける通信方法を実行させる。
【００３７】
第８の態様によると、コンピュータ可読記憶媒体が提供される。コンピュータ可読記憶媒体は、プログラムを格納し、該プログラムは、ＯＮＵに、第２の態様及び第２の態様の実装のうちのいずれか１つにおける受動光ネットワークＰＯＮシステムにおける通信方法を実行させる。
【図面の簡単な説明】
【００３８】
【図１】本願の一実施形態による通信システムのアーキテクチャ図である。
【図２】本発明の一実施形態の適用される例示的な受動光ネットワークＰＯＮシステムの概略ブロック図である。
【図３】本願の一実施形態による受動光ネットワークＰＯＮシステムにおける通信方法の概略相互作用フローチャートである。
【図４】本願の一実施形態による一例の概略図である。
【図５】本願の一実施形態による別の例の概略図である。
【図６】本願の一実施形態による更に別の例の概略図である。
【図７】本願の一実施形態によるまた別の例の概略図である。
【図８】本願の一実施形態による受動光ネットワークＰＯＮシステムにおける光回線終端装置ＯＬＴを示す。
【図９】本願の一実施形態による受動光ネットワークＰＯＮシステムにおける光ネットワークユニットＯＮＵを示す。
【図１０】本願の別の実施形態による受動光ネットワークＰＯＮシステムにおける光回線終端装置ＯＬＴを示す。
【図１１】本願の一実施形態による受動光ネットワークＰＯＮシステムにおける光ネットワークユニットを示す。
【発明を実施するための形態】
【００３９】
以下は、添付の図面を参照して本願の実施形態における技術的ソリューションを記載する。
【００４０】
図１は、本発明の一実施形態の適用されるネットワークアーキテクチャのＰＯＮシステム１００の概略ブロック図である。ＰＯＮシステム１００は、少なくとも１つの光回線終端装置（Optical  Line  Terminal、OLT）１１０、複数の光ネットワークユニット（Optical  Network  Unit、ONU）１２０、及び１つの光分配ネットワーク（Optical  Distribution  Network、ODN）１３０を含む。光回線終端装置１１０は、複数の光ネットワークユニット１２０に光分配ネットワーク１３０を介して一対多地点接続される。光回線終端装置１１０は、光ネットワークユニット１２０と、時分割多重化（Time  Division  Multiplexing、TDM）メカニズム、波長分割多重化（Wavelength  Division  Multiplexing、WDM）メカニズム、又はＴＤＭ／ＷＤＭハイブリッドメカニズムを用いて通信してよい。光回線終端装置１１０から光ネットワークユニット１２０への方向はダウンストリーム方向として定められ、光ネットワークユニット１２０から光回線終端装置１１０への方向はアップストリーム方向として定められる。
【００４１】
受動光ネットワークシステム１００は、能動コンポーネントが光回線終端装置１１０と光ネットワークユニット１２０との間のデータ分配を実施することを要求されない、通信ネットワークであってよい。特定の実施形態では、光回線終端装置１１０と光ネットワークユニット１２０との間のデータ分配は、光分配ネットワーク１３０内の受動光コンポーネント（例えば、光スプリッタ）を用いて実施されてよい。受動光ネットワークシステム１００は、非同期転送モード受動光ネットワーク（ATM  PON）システム又はＩＴＵ−Ｔ  Ｇ．９８３規格で定められる広帯域受動光ネットワーク（Broadband  PON、BPON）システム、ＩＴＵ−Ｔ  Ｇ．９８４シリーズ規格で定められるギガビット受動光ネットワーク（Gigabit  Passive  Optical  Network、GPON）システム、イーサネット受動光ネットワーク（Ethernet  Passive  Optical  Network、EPON）システム、波長分割多重化受動光ネットワーク（Wavelength  Division  Multiplexing  PON、WDM-PON）システム、又はＩＥＥＥ８０２．３ａｈ規格で定められる次世代光ネットワーク（Next  Generation  Passive  Optical  Network、NGPON）システム、例えばＩＴＵ−Ｔ  Ｇ．９８７シリーズ規格で定められる１０ギガビットの可能な受動光ネットワーク（１０-Gigabit-capable  Passive  Optical  Network、XG-PON）システム又は１０Ｇ  ＥＰＯＮシステム、時分割多重化受動光ネットワーク（Time  Division  Multiplexing  Passive  Optical  Network、TDM-PON）、又はＩＥＥＥ８０２．３ａｖ規格で定められるＴＤＭ／ＷＤＭハイブリッドＰＯＮシステム、将来の２５Ｇ  ＰＯＮ、５０Ｇ  ＰＯＮ、又は１００Ｇ  ＰＯＮシステム等であってよい。前述の規格で定められた種々の受動光ネットワークシステムの全内容は、参照によりその全体が本願に組み込まれる。
【００４２】
光回線終端装置１１０は、通常、中央位置、例えば中央局（Central  Office、CO）に置かれる。光回線終端装置１１０は、複数の光ネットワークユニット１２０を中央管理できる。光回線終端装置１１０は、光ネットワークユニット１２０と上位層ネットワーク（図中に示さない）との間の媒体として機能でき、受信したデータを上位層ネットワークから光ネットワークユニット１２０へダウンストリームデータとして転送し、及び受信したアップストリームデータを光ネットワークユニット１２０から上位層ネットワークへ転送する。光回線終端装置１１０の特定構造構成は、受動光ネットワークシステム１００の特定種類に伴い変化してよい。一実施形態では、光回線終端装置１１０は、光通信機コンポーネント２００、及びデータ処理モジュール（図中に示さない）を含んでよい。光通信機コンポーネント２００は、データ処理モジュールにより処理されたダウンストリームデータをダウンストリーム光信号に変換し、ダウンストリーム光信号を光ネットワークユニット１２０へ光分配ネットワーク１３０を介して送信し、光ネットワークユニット１２０により光分配ネットワーク１３０を介して送信されたアップストリーム光信号を受信し、アップストリーム光信号を電気信号に変換し、電気信号をデータ処理モジュールに処理のために供給できる。
【００４３】
光ネットワークユニット１２０は、ユーザ側位置（例えば、顧客建物）に分散方式で配置されてよい。光ネットワークユニット１２０は、光回線終端装置１１０とユーザとの間の通信のために使用されるネットワーク装置であってよい。具体的に、光ネットワークユニット１２０は、光回線終端装置１１０とユーザとの間の媒体として機能してよい。例えば、光ネットワークユニット１２０は、光回線終端装置１１０から受信したダウンストリームデータをユーザへ転送し、ユーザから受信したデータを光回線終端装置１１０へアップストリームデータとして転送してよい。光ネットワークユニット１２０の特定構造構成は、受動光ネットワークシステム１００の特定種類に伴い変化してよい。一実施形態では、光ネットワークユニット１２０は、光通信機コンポーネント３００を含んでよい。光通信機コンポーネント３００は、光回線終端装置１１０により光分配ネットワーク１３０を介して送信されたダウンストリームデータ信号を受信し、アップストリームデータ信号を光回線終端装置１１０へ光分配ネットワーク１３０を介して送信するよう構成される。理解されるべきことに、本願では、光ネットワークユニット１２０の構造は、光加入者線終端装置（Optical  Network  Terminal、ONT）の構造と同様である。したがって、本願で提供されるソリューションでは、光ネットワークユニット及び光加入者線終端装置は置き替え可能である。
【００４４】
光分配ネットワーク１３０は、データ分配システムであってよく、光ファイバ、光カプラ、光多重化器／逆多重化器、光スプリッタ、及び／又は別の装置を含んでよい。一実施形態では、光ファイバ、光カプラ、光多重化器／逆多重化器、光スプリッタ、及び／又は別の装置の各々は、受動光コンポーネントであってよい。具体的に、光ファイバ、光カプラ、光多重化器／逆多重化器、光スプリッタ、及び／又は別の装置の各々は、データ信号を光回線終端装置１１０と光ネットワークユニット１２０との間で、電力サポートを要求することなく、分配するコンポーネントであってよい。さらに、別の実施形態では、光分配ネットワーク１３０は、１つ以上の処理装置、例えば光増幅器又は中継装置（Relay  device）を更に含んでよい。図１に示す分岐構造では、光分配ネットワーク１３０は、具体的に、光回線終端装置１１０から複数の光ネットワークユニット１２０へ延びてよい。しかしながら、光分配ネットワーク１３０は、代替として、任意の他の１対多地点構造になるよう構成されてよい。
【００４５】
理解されるべきことに、図１は、ＰＯＮシステムのトポロジを概略的に示すだけである。しかしながら、これは、本願の実施形態に対する限定を構成せず、実際には複数レベルの分岐があってよい。
【００４６】
受動光ネットワークＰＯＮシステムにおける通信方法が本願の本実施形態において提案される。周波数ドメインにおいて分離される第１アップストリームチャネル（アップストリーム登録チャネルとも呼ばれることがある）及び第２アップストリームチャネル（アップストリームサービスチャネルとも呼ばれる）が導入される。新しいＯＮＵの登録は、アップストリーム登録チャネルを通じて達成され、サービスデータはアップストリームサービスチャネルを通じて送信される。その結果、登録情報及びサービスデータは、同時に送信できる。したがって、ウインドウイング起動により引き起こされる遅延は効果的に低減でき、実装は容易であり、コストは比較的低い。
【００４７】
図２は、本発明の一実施形態の適用される例示的なＰＯＮシステムの概略ブロック図である。図２に示すように、ＰＯＮシステムはＯＬＴ２０１０及びＯＮＵ２０２０を含む。アップストリームサービスチャネル、ダウンストリームサービスチャネル、及びＯＮＵアップストリーム登録チャネルが、ＰＯＮシステム内にある。図２のＰＯＮシステムの構造は、実装が容易であり、比較的低いコストを要する。理解されるべきことに、図２は、単に当業者が本願の実施形態における技術的ソリューションをより明確に理解するのを助けるために導入されたものであり、本願の実施形態に対する限定を構成しない。
【００４８】
ＯＬＴ２０１０は、ダウンストリームデータ送信モジュール２０１１、ＯＮＵ登録受信モジュール２０１２、データサービス受信モジュール２０１３、ダウンストリーム送信機２０１４、アップストリームバースト受信機２０１５、波長分割多重化器２０１６、及び送信コンバージェンス（transmission  convergence、TC）モジュール２０１７を含む。
【００４９】
ＯＮＵ２０２０は、データサービス送信モジュール２０２１、ＯＮＵ登録送信モジュール２０２２、ダウンストリームデータ受信モジュール２０２３、アップストリームバースト送信機２０２４、ダウンストリーム受信機２０２５、波長分割多重化器２０２６、及び送信コンバージェンスモジュール２０２７を含む。
【００５０】
ＰＯＮシステムでは、アップストリーム方向及びダウンストリーム方向は、異なる波長を使用し、波長分割多重化器を用いて同じＯＤＮを共有する。アップストリーム方向では、ＯＮＵ２０２０のＯＮＵ登録送信モジュール２０２２及び送信機２０２４、並びにＯＬＴ２０１０のＯＮＵ登録受信モジュール２０１２及び受信機２０１５は、一緒にＯＮＵ登録チャネル（又は登録予備チャネル）を構成し、ＯＮＵ２０２０のデータサービス送信モジュール２０２１及び送信機２０２４、並びにＯＬＴ２０１０のデータサービス受信モジュール２０１３及び受信機２０１５は、一緒にサービスチャネル（又はデータサービスチャネル）を構成する。さらに、登録チャネル及びサービスチャネルは、周波数ドメインにおいて分離されてよい。
【００５１】
本願の本実施形態では、図２のＰＯＮシステムのモジュール又はハードウェア構造は、本願の実施形態における方法を実行してよい。以下は、本願の装置実施形態による方法を記載する。
【００５２】
図３は、本願の一実施形態による受動光ネットワークＰＯＮシステムにおける通信方法の概略相互作用フローチャートである。図３に示すように、ＰＯＮシステムはＯＬＴ及び少なくとも１つのＯＮＵを含む。ＯＬＴは図１の光回線終端装置１１０であってよく、ＯＮＵは図１の光ネットワークユニット１２０であってよい。或いは、ＯＬＴは図２のＯＬＴ２０１０であってよく、ＯＮＵは図２のＯＮＵ２０２０であってよい。方法は以下のステップを含み得る。
【００５３】
Ｓ３１０。ＯＬＴは、少なくとも１つのＯＮＵのうちの第１ＯＮＵにより第１アップストリームチャネルを通じて送信された第１メッセージを受信する。
【００５４】
ここで、第１ＯＮＵは、ＰＯＮに登録しないＯＮＵであり、又は未登録ＯＮＵと呼ばれてよい。
【００５５】
第１アップストリームチャネルは、ＯＬＴにより、第１メッセージの受信時点を取得するために未登録ＯＮＵにより送信された第１メッセージを受信するために使用される。
【００５６】
任意で、第１メッセージは、未変調光信号又は変調光信号であってよい。
【００５７】
具体的に、第１メッセージが未変調光信号である（例えば、非常に短時間の間に光を放射するパルス信号であってよい）とき、ＯＬＴは、未変調光信号の強度を検出することにより、第１ＯＮＵが第１メッセージを送信したか否かを決定してよい。任意で、光信号の強度が閾を超えることを検出すると、ＯＬＴは、ＯＮＵが第１メッセージを送信すると見なしてよい。
【００５８】
任意で、第１メッセージが変調光信号であるとき、光信号は第１ＯＮＵのＳＮ又はＭＡＣアドレスを伝達してよい。このように、ＯＬＴは、光信号を復調することにより、ＯＮＵにより伝達されたシリアル番号（Serial  Number、SN）又は媒体アクセス制御（Media  Access  Control、MAC）アドレスを取得してよい。任意で、ＯＬＴは、ＯＮＵ認証も、復調ＳＮ又はＭＡＣアドレスに基づき実行してよい。認証が成功すると、ＯＮＵは登録を続けることを許可され、その他の場合、ＯＮＵはもはやＯＮＵ登録手順を継続しない。更に、ＯＬＴは、ＯＮＵ  ＩＤをＯＮＵにＳＮ又はＭＡＣアドレスに基づき割り当ててよい。
【００５９】
ここで、非常に短時間の間、光を放射する信号は、第１メッセージとして使用される。言い換えると、第１ＯＮＵは非常に短いタイムスロット（例えば、数マイクロ秒のタイムスロット）内でデータを送信してよい。したがって、複数のＯＮＵが同時に登録を実行するとき、より長時間の間、光を放射する又は連続的に光を放射する信号と比べて、非常に短い時間の間に光を放射する信号は、複数の未登録ＯＮＵが互いに衝突する確率を大幅に低減するために使用されてよく、それによりデータチャネルに与える影響を低減する。
【００６０】
任意で、第１メッセージは、第１ＯＮＵの特定内容を伝達してよく又は伝達しなくてよい。これは限定されない。任意で、ステップＳ３１０の前に、方法は、
ＯＬＴにより、第２指示情報を第１ＯＮＵへダウンストリームチャネルを通じて送信するステップを更に含んでよく、ここで第２指示情報は第１ＯＮＵに登録を実行するよう指示するために使用される。
【００６１】
Ｓ３１０は、ＯＬＴにより、第１ＯＮＵにより第１アップストリームチャネルを通じて送信された、指示情報に応答する第１メッセージを受信するステップを含む。
【００６２】
具体的に、ＯＬＴは、第１ＯＮＵに登録を実行するよう指示するために、指示情報（例えば、第２指示情報）を第１ＯＮＵへ予め配信してよい。第２指示情報を受信した後に、第１ＯＮＵは、第２指示情報に応答し、具体的に言うと、第１メッセージをＯＬＴへ第１アップストリームチャネルを通じて送信してよい。言い換えると、第１メッセージは、第１ＯＮＵが第２指示情報に応答するメッセージとして理解されてよい。
【００６３】
任意で、第２指示情報は、ＯＮＵによりダウンストリームフレーム同期を実行するために使用される情報、ＯＮＵ登録指示情報、ＯＬＴの動作パラメータ情報、等を含んでよい。
【００６４】
理解されるべきことに、本願の本実施形態では、ＯＬＴは、ＯＮＵに登録を実行するよう指示するために、指示情報を複数のＯＮＵへ同時に送信してよい。ここで、第１ＯＮＵのみが、説明のための一例として使用される。これは本願の本実施形態において限定されない。
【００６５】
留意すべきことに、ＯＬＴが指示情報を配信するとき、オンラインＯＮＵがある場合、ＯＬＴはオンラインＯＮＵに割り当てられた帯域幅許可情報も配信してよい。言い換えると、ダウンストリームチャネルを通じて、ＯＬＴは、帯域幅をオンラインＯＮＵに通常通りに割り当て、同時に第１ＯＮＵに登録を実行するよう指示してよい。
【００６６】
任意で、ＧＰＯＮシステムでは、ＯＬＴは、第１ＯＮＵに登録を実行するよう指示するために使用される帯域幅マップ（Bandwidth  Map、BWMAP）許可情報、及び第２ＯＮＵにサービス通信を実行するよう指示するために使用されるＢＷＭＡＰ許可情報を同時に配信してよい。ＥＰＯＮシステムでは、ＯＬＴは、第１ＯＮＵに登録を実行するよう指示するために使用される発見ゲート（discovery  grant）メッセージ、及び第２ＯＮＵにサービス通信を実行するよう指示するために使用される通常ゲート（normal  grant）メッセージを同時に配信してよい。
【００６７】
Ｓ３２０。ＯＬＴは、第１ＯＮＵの第１ラウンドトリップ時間ＲＴＴを第１メッセージの受信時点に基づき決定する。
【００６８】
任意で、第１ラウンドトリップ時間ＲＴＴは、ＯＬＴと第１ＯＮＵとの間のラウンドトリップ時間である。任意で、第１ＲＴＴは、ダウンストリーム送信遅延、第１ＯＮＵの応答時間、及びアップストリーム送信遅延を含んでよい。
【００６９】
具体的に、ＯＬＴは、第１ＯＮＵの第１ＲＴＴを、第１メッセージが受信された時点、及びダウンストリームデータが送信される開始時点に基づき計算してよい。例えば、第１ＲＴＴはマイクロ秒の大きさに基づいてよい。
【００７０】
任意で、第１ＲＴＴに基づき、ＯＬＴは、第１ＯＮＵの測定距離を概算してよく、又はＯＮＵの位置を近似決定してよく、例えば、ＯＮＵが数百メートル離れた位置に置かれていると推定してよい。言い換えると、ＯＬＴは、第１ＯＮＵの位置を、第１ＯＮＵの第１メッセージが受信された時点に基づき推定してよい。
【００７１】
任意で、測定距離は、第１距離規模、例えば数百メートル規模、に基づき表される。
【００７２】
言い換えると、Ｓ３１０及びＳ３２０の処理は「粗測距」処理と呼ばれてよい。「粗測距」は、ＯＬＴが第１ＯＮＵにより送信された第１メッセージ（例えば、光信号）を検出し、第１ＯＮＵの第１ラウンドトリップ時間（つまり、第１ＲＴＴ）を決定して、第１ＯＮＵの第１ラウンドトリップ時間に基づき後の動作を実行し得ることを意味する。
【００７３】
任意で、第１メッセージを受信した後に、ＯＬＴは、後に第１ＯＮＵを識別するために、識別子ＯＮＵ  ＩＤを第１ＯＮＵに更に割り当ててよい。
【００７４】
Ｓ３３０。ＯＬＴは、第１ＲＴＴに基づき時間ウインドウを決定する。
【００７５】
具体的に、ＯＬＴは、第１ＲＴＴ又は第１ＯＮＵの測定距離に基づき時間ウインドウを計算してよく、時間ウインドウは登録ウインドウとも呼ばれることがある。ここで、ＯＬＴは、もはや時間ウインドウをシステム内でサポートされる最大ＯＮＵ距離に基づき計算する必要がないが（例えば、既存の測距処理では、システムでサポートされる２０ｋｍの最大ＯＮＵ距離に基づき計算される時間ウインドウは、２５０マイクロ秒であり、したがって、比較的大きな遅延が導入される）、より小さな時間ウインドウを、第１ＲＴＴ又は第１ＯＮＵの測定距離に基づき再計算する（例えば、時間ウインドウは、ＯＮＵ処理時間及び第１ＲＴＴの測定精度の不確定さを考慮して数マイクロ秒に設定されてよい）。時間ウインドウはより小さく、したがって別のオンラインＯＮＵの通常サービスの遅延にあまり影響しない。
【００７６】
言い換えると、本願の本実施形態では、第１ＯＮＵの登録処理は、粗測距フェーズ及び精細測距フェーズとしても理解され得る。時間ウインドウは、精細測距フェーズにおける登録ウインドウとして理解され得る。さらに、精細測距フェーズでは、ＯＬＴにより計算される時間ウインドウは、第１ＲＴＴ又は粗測距フェーズにおける第１ＯＮＵの測定距離に依存する。
【００７７】
Ｓ３４０。ＯＬＴは、第１指示情報を第１ＯＮＵへダウンストリームチャネルを通じて送信し、第１指示情報は時間ウインドウを含む。
【００７８】
言い換えると、ＯＬＴは、指示情報（例えば、第１指示情報）を第１ＯＮＵへ送信してよい。ここで、指示情報は時間ウインドウを含む。その結果、第１ＯＮＵは時間ウインドウ内に応答を生成する（具体的に言うと、登録情報で応答する）。言い換えると、ＯＬＴは、第１指示情報を送信して、第１ＯＮＵに、時間ウインドウ内に応答を生成するよう指示する。
【００７９】
Ｓ３５０。ＯＬＴは、第１ＯＮＵにより第２アップストリームチャネルを通じて時間ウインドウ内に送信された第２メッセージを受信する。任意で、第２アップストリームチャネルに対応する周波数ドメインリソースは、第１アップストリームチャネルに対応する周波数ドメインリソースと異なる。
【００８０】
本願の本実施形態では、第２メッセージは登録情報を含んでよい。任意で、第２メッセージは、ＯＬＴにより送信された第１指示情報に応答するため又は応えるために、第１ＯＮＵにより使用されるメッセージとして理解され得る。
【００８１】
ＯＬＴは、第１ＯＮＵが時間ウインドウ内に応答した第２メッセージを受信してよい。ここで、第２メッセージは、登録情報を含み、第２メッセージは、第１ＯＮＵにより第２アップストリームチャネルを通じて送信される。第２アップストリームチャネル及び第１アップストリームチャネルは、周波数ドメインにおいて分離される。
【００８２】
本願の本実施形態では、第１アップストリームチャネルは、アップストリーム登録チャネルとも呼ばれてよく、第２アップストリームチャネルは、アップストリームサービスチャネルとも呼ばれてよい。例えば、第１ＯＮＵにより送信された第１メッセージは、アップストリーム登録チャネルを通じて送信されてよい。ここで導入される「アップストリーム登録チャネル」は、周波数ドメインにおいてアップストリームサービスチャネルと分離されたチャネルであってよい。具体的に、例えば、ＯＮＵの第１メッセージは、ＯＮＵのアップストリーム登録チャネルを通じて、０〜１０ＭＨｚの周波数帯を用いて送信され、ＯＮＵのデータサービスは、アップストリームサービスチャネルを通じて、１０メガヘルツＭＨｚ以上の周波数帯を用いて送信される。代替として、例えば、１０Ｇ  ＰＯＮシステムでは、ＯＮＵの第１メッセージは、ＯＮＵのアップストリーム登録チャネルを通じて、１０ギガヘルツＧＨｚより大きい周波数帯を用いて送信され、データサービスは、アップストリームサービスチャネルを通じて、０〜１０ＧＨｚの周波数帯を用いて送信される。ここで、アップストリームサービスチャネル及びアップストリーム登録チャネルは、周波数ドメインにおいて分離される。その結果、アップストリームサービスチャネルとアップストリーム登録チャネルとの間の相互干渉は大幅に低減できる。
【００８３】
Ｓ３６０。ＯＬＴは、第１ＯＮＵの第２ＲＴＴを第２メッセージの受信時点に基づき決定する。
【００８４】
任意で、ＯＬＴは、第１ＯＮＵの登録動作を第２ＲＴＴに基づき完了する。
【００８５】
さらに、ＯＬＴは、第２ＲＴＴを第２メッセージの受信時点に基づき計算し、次に遅延補償又は帯域幅許可を第２ＲＴＴに基づき実行してよい。ここで、第２ＲＴＴは、第１ＲＴＴより精細な時間の大きさである。具体的に言うと、第１ＲＴＴを粗測距フェーズで計算した後に、ＯＬＴは、指示情報（時間ウインドウを含む）を第１ＯＮＵへ送信してよい。その結果、第１ＯＮＵは、応答メッセージ（例えば、登録情報）により時間ウインドウ内で応答し、ＯＬＴは、第２ＲＴＴを応答メッセージの受信された時点に基づき精細に計算する。
【００８６】
任意で、ＯＬＴは、第１ＯＮＵが通常サービス通信を実行するために登録動作を完了するように、補償遅延又は帯域幅許可を第１ＯＮＵへダウンストリームチャネルを通じて第２ＲＴＴに基づき送信してよい。
【００８７】
任意で、ＯＬＴは、第１ＯＮＵへダウンストリームチャネルを通じて、第１ＯＮＵに登録を実行するよう指示するために使用される帯域幅マップ（Bandwidth  Map、BWMAP）許可情報又は発見許可（discovery  Gate）メッセージを送信してよい。
【００８８】
任意で、ＯＬＴは、さらに、第２ＯＮＵにサービス通信を実行するよう指示するために使用されるＢＷＭＡＰ許可情報又は通常許可（normal  Gate）メッセージを同時に配信してよい。
【００８９】
理解されるべきことに、本願の本実施形態では、登録を完了した後に、第１ＯＮＵは、オンラインＯＮＵに対して同様の後続の動作を実行し、例えば、サービスデータをアップストリームサービスチャネルを通じて送信してよい。詳細は、ここで記載されない。
【００９０】
更に理解されるべきことに、本願の本実施形態では、数字「第１」、「第２」、等は単に異なるオブジェクト又は用語の間を区別する、例えば異なるＯＮＵの間を区別する、又は異なる指示情報の間を区別するためのものであり、本願の本実施形態に対する限定を構成しない。
【００９１】
したがって、本願の本実施形態の受動光ネットワークＰＯＮシステムにおける通信方法によると、ＯＬＴは、少なくとも１つのＯＮＵのうちの第１ＯＮＵにより第１アップストリームチャネルを通じて送信された第１メッセージを受信し、第１ＯＮＵの第１ＲＴＴを第１メッセージの受信時点に基づき決定し、時間ウインドウを第１ＲＴＴに基づき決定し、第１ＯＮＵに登録を時間ウインドウ内で実行するよう指示し、精細な第２ＲＴＴを取得する。その結果、ウインドウイング起動により引き起こされる遅延は効果的に削減でき、実装は容易であり、コストは低減される。
【００９２】
さらに、本願の本実施形態では、前述の「粗測距フェーズ及び精細測距フェーズ」は、異なるアップストリームチャネル上で達成されてよい。アップストリーム登録チャネル及びアップストリームサービスチャネルは周波数ドメインにおいて分離されるので、オンラインＯＮＵのアップストリームサービスデータ及び第１ＯＮＵの第１メッセージは時間の観点では重なり合ってよい。図４は、本願の一実施形態による一例の概略図である。図４に示すように、ＯＬＴは、アップストリームサービスチャネルを通じて、オンラインＯＮＵ（つまり第２ＯＮＵ）により送信されたアップストリームサービスデータを受信してよく、同時に、アップストリーム登録チャネルを通じて、未登録ＯＮＵ（つまり第１ＯＮＵ）により送信された第１メッセージを受信してよい。オンラインＯＮＵのアップストリームサービスデータ、及び未登録ＯＮＵの第１メッセージは、時間の観点では部分的に又は完全に重なり合ってよい。
【００９３】
理解されるべきことに、図４の例は、単に当業者が本願の技術的ソリューションを理解するのを助けるために導入されたものであり、本願の実施形態に対する限定を構成しない。
【００９４】
任意で、本願の本実施形態では、ＯＬＴは、ＯＬＴと第１ＯＮＵとの間の第１ラウンドトリップ時間ＲＴＴを、第１メッセージの到着時点及びダウンストリームデータの送信時点に基づき計算してよい。第１ＲＴＴは、ダウンストリーム送信遅延、第１ＯＮＵの応答時間、及びアップストリーム送信遅延を含んでよい。例えば、図５は、本願の一実施形態による別の例の概略図である。図５に示すように、ＯＬＴにより取得されたＯＬＴと第１ＯＮＵとの間の第１ラウンドトリップ時間ＲＴＴは、ダウンストリーム送信遅延Ｘμｓ、第１ＯＮＵの応答時間、及びアップストリーム送信遅延Ｘ’μｓを含む。ここで、ＯＬＴは、第１メッセージ（例えば、光信号）をアップストリーム登録チャネル上で受信し又は検出してよい。光信号を受信し又は検出すると、ＯＬＴは、光信号の到着時点を記録してよい。
【００９５】
理解されるべきことに、図５の例は、単に当業者が本願の技術的ソリューションを理解するのを助けるために導入されたものであり、本願の実施形態に対する限定を構成しない。
【００９６】
任意で、一実施形態では、ＯＬＴが第１指示情報を第１ＯＮＵへダウンストリームチャネルを通じて送信するとき、方法は、
ＯＬＴにより、許可リソースを、少なくとも１つのＯＮＵのうちの第２ＯＮＵへダウンストリームチャネルを通じて送信するステップであって、許可リソースに対応する時間ドメイン単位は時間ウインドウに対応する時間ドメイン単位とずらされる、ステップと、
ＯＬＴにより、第２ＯＮＵにより第２アップストリームチャネルを通じて送信されたアップストリームサービスデータを受信するステップと、を更に含んでよい。
【００９７】
ここで、第２ＯＮＵはオンラインＯＮＵであってよい。
【００９８】
具体的に、ＯＬＴは、帯域幅許可をオンラインＯＮＵにダウンストリームチャネルを通じて割り当て、帯域幅許可は、第１ＯＮＵの時間ウインドウとずらされる。帯域幅許可を受信した後に、オンラインＯＮＵは、サービスデータをアップストリームサービスチャネル上で送信してよい。第１ＯＮＵは、第１ＯＮＵの登録情報（登録のために必要な特定内容を含んでよい）をアップストリームサービスチャネルで送信してよい。したがって、ＯＬＴは、オンラインＯＮＵのサービスデータ及び第１ＯＮＵの登録情報の両方をアップストリームサービスチャネルで受信し、次に、第１ＯＮＵのラウンドトリップ時間を第１ＯＮＵの登録情報に基づき精細に計算してよい。ここで、第１ＯＮＵの時間ウインドウはオンラインＯＮＵの帯域幅許可とずらされるので、第１ＯＮＵのアップストリームサービスチャネル上の登録は、オンラインＯＮＵのサービスデータの受信と干渉しない。
【００９９】
さらに、第１ＯＮＵについての測定を通じて、ＯＬＴは第１ＯＮＵの第１ＲＴＴ又は第１ＯＮＵの測定距離を事前に決定しており、第１ＯＮＵの時間ウインドウ（又は登録ウインドウと呼ばれる）を第１ＯＮＵの第１ＲＴＴ又は第１ＯＮＵの測定距離に基づき決定する。時間ウインドウは、もはや、従来技術における２０ｋｍに対応する２５０μｓのウインドウではなく、μｓの大きさのウインドウであり、したがって、オンラインＯＮＵのサービスデータの遅延にあまり影響しない。
【０１００】
例えば、図６は、本願の一実施形態による更に別の例の概略図である。図６は精細測距フェーズの特定の例を示すと考えられてよい。図６に示すように、ＯＬＴは、未登録ＯＮＵのためにアップストリームサービスチャネル上で登録ウインドウを開き、帯域幅リソースをオンラインＯＮＵに割り当てるとき登録ウインドウを回避してよい。ＯＬＴは、アップストリームサービスチャネルを通じて、オンラインＯＮＵにより送信されたアップストリームサービスデータを受信してよく、同時に、アップストリームサービスチャネルを通じて、未登録ＯＮＵ（つまり第１ＯＮＵ）により送信されたＯＮＵ登録情報を受信してよい。オンラインＯＮＵがアップストリームサービスデータを送信する時間は、未登録ＯＮＵが登録情報を送信する時間とずらされる。未登録ＯＮＵの登録は、オンラインＯＮＵのデータ送信に影響しない。
【０１０１】
理解されるべきことに、図６の例は、単に当業者が本願の技術的ソリューションを理解するのを助けるために導入されたものであり、本願の実施形態に対する限定を構成しない。
【０１０２】
任意で、精細測距フェーズで、ＯＬＴは、ＯＮＵ登録情報に基づき、未登録ＯＮＵの第２ラウンドトリップ時間ＲＴＴを精細に計算してよい。第２ラウンドトリップ時間ＲＴＴは、第１ラウンドトリップ時間ＲＴＴより精細な時間の大きさである。例えば、第２ラウンドトリップ時間ＲＴＴは、ナノ秒の大きさに基づき表される時間であってよい。
【０１０３】
図７は、本願の一実施形態によるまた別の例の概略図である。図７に示すように、ＯＬＴは、第２ＲＴＴを、ＯＮＵ登録情報の受信時点及びダウンストリームデータフレームの送信時点に基づき精細に計算してよい。任意で、第２ＲＴＴは、ダウンストリーム送信遅延（Ｘマイクロ秒μｓ）、未登録ＯＮＵの応答時間、予め割り当てられた遅延（Pre-Assigned  Delay）、及びアップストリーム送信遅延（Ｘ’μｓ）を含んでよい。
【０１０４】
したがって、さらに、本願の本実施形態におけるＰＯＮシステムにおける通信方法によると、許可リソースは、少なくとも１つのＯＮＵのうちの第２ＯＮＵへ送信される。ここで、許可リソースに対応する時間ドメイン単位は、時間ウインドウに対応する時間ドメイン単位とずらされており、第２ＯＮＵによりアップストリームサービスチャネルを通じて送信されたアップストリームサービスデータが受信される。したがって、第１ＯＮＵのアップストリームサービスチャネル上の登録は、第２ＯＮＵのサービスデータの受信と干渉しない。
【０１０５】
以上は、本願の実施形態における方法を記載した。以下は、本願の実施形態における機器を記載する。
【０１０６】
図８は、本願の一実施形態による受動光ネットワークＰＯＮシステムにおける光回線終端装置ＯＬＴ８００を示す。ＰＯＮシステムは、ＯＬＴ及び少なくとも１つのＯＮＵを含む。図８に示すように、ＯＬＴ８００は、送信機８３０、受信機８１０及びプロセッサ８２０を含む。受信機８１０及び送信機８３０は、波長分割多重化器を用いて接続されてよい。
【０１０７】
受信機８１０は、少なくとも１つのＯＮＵのうちの第１ＯＮＵにより第１アップストリームチャネルを通じて送信された第１メッセージを受信するよう構成される。
【０１０８】
プロセッサ８２０は、第１ラウンドトリップ時間ＲＴＴを第１メッセージの受信時点に基づき決定し、時間ウインドウを第１ＲＴＴに基づき決定するよう構成される。
【０１０９】
送信機８３０は、第１指示情報を第１ＯＮＵへダウンストリームチャネルを通じて送信するよう構成され、第１指示情報は時間ウインドウを含む。
【０１１０】
受信機８１０は、第１ＯＮＵにより第２アップストリームチャネルを通じて時間ウインドウ内に送信された第２メッセージを受信するよう更に構成される。任意で、第２アップストリームチャネルに対応する周波数ドメインリソースは、第１アップストリームチャネルに対応する周波数ドメインリソースと異なる。
【０１１１】
プロセッサ８２０は、第１ＯＮＵの第２ＲＴＴを第２メッセージの受信時点に基づき決定し、第１ＯＮＵの登録動作を第２ＲＴＴに基づき完了するよう更に構成される。
【０１１２】
任意で、ＯＬＴ８００内の受信機８１０及び送信機８３０は、幾つかのモジュールを含んでよい。例えば、受信機８１０は受信モジュールを含んでよく、送信機８３０は送信モジュールを含んでよい。これは、本願の本実施形態において限定されない。
【０１１３】
本願の本実施形態では、ＯＬＴ８００は、少なくとも１つのＯＮＵのうちの第１ＯＮＵにより第１アップストリームチャネルを通じて送信された第１メッセージを受信し、第１ＯＮＵの第１ＲＴＴを第１メッセージの受信時点に基づき決定し、時間ウインドウを第１ＲＴＴに基づき決定し、第１ＯＮＵに登録を時間ウインドウ内で実行するよう指示し、及び精細な第２ＲＴＴを取得するために、１つの通信機セット（受信機８１０及び送信機８３０）のみがあればよい。その結果、ウインドウイング起動により引き起こされる遅延は効果的に削減できる。本願の本実施形態におけるＯＬＴ８００は、実装が比較的容易であり、より少ないコストを必要とし、工業的用途のより低い制約条件を有し、工業的商業的用途において非常に高い実現可能性及び操作性を有する。任意で、一実施形態では、送信機８３０は、
第２指示情報を第１ＯＮＵへダウンストリームチャネルを通じて送信するよう更に構成され、ここで第２指示情報は第１ＯＮＵに登録を実行するよう指示するために使用される。
【０１１４】
受信機８１０は、具体的に、
第１ＯＮＵにより第１アップストリームチャネルを通じて送信された、第２指示情報に応答する第１メッセージを受信するよう構成される。
【０１１５】
任意で、一実施形態では、送信機８３０は、
許可リソースを少なくとも１つのＯＮＵのうちの第２ＯＮＵへダウンストリームチャネルを通じて送信するよう更に構成され、ここで許可リソースに対応する時間ドメイン単位は時間ウインドウに対応する時間ドメイン単位とずらされる。
【０１１６】
受信機８１０は、第２ＯＮＵにより第２アップストリームチャネルを通じて送信されたアップストリームサービスデータを受信するよう更に構成される。
【０１１７】
任意で、一実施形態では、プロセッサ８２０は、具体的に、
第１ＯＮＵが登録動作を完了するように、補償遅延又は帯域幅許可を第１ＯＮＵへダウンストリームチャネルを通じて第２ＲＴＴに基づき送信するよう構成される。
【０１１８】
任意で、一実施形態では、第１メッセージは、未変調光信号又は変調光信号であってよい。具体的に、第１メッセージが未変調光信号であるとき、第１メッセージは非常に短い時間の間、光を放射するパルス信号であってよい。第１メッセージが変調光信号であるとき、第１メッセージは第１ＯＮＵのＳＮ又はＭＡＣアドレスを伝達してよい。
【０１１９】
本願の本実施形態によるＯＬＴ８００は、本願の実施形態におけるＯＬＴ側の方法を実行してよく、ＯＬＴ８００内のモジュールの前述の及び他の動作及び／又は機能は、前述の方法の対応する手順を実施するために別個に使用される。簡潔さのために、詳細はここで再び記載されない。
【０１２０】
したがって、本願の本実施形態のＯＬＴ８００は、少なくとも１つのＯＮＵのうちの第１ＯＮＵにより第１アップストリームチャネルを通じて送信された第１メッセージを受信し、第１ＯＮＵの第１ＲＴＴを第１メッセージの受信時点に基づき決定し、時間ウインドウを第１ＲＴＴに基づき決定し、第１ＯＮＵに登録を時間ウインドウ内で実行するよう指示し、精細な第２ＲＴＴを取得する。その結果、ウインドウイング起動により引き起こされる遅延は効果的に削減でき、実装は容易であり、コストは低減される。
【０１２１】
図９は、本願の一実施形態による受動光ネットワークＰＯＮシステムにおける光ネットワークユニットＯＮＵ９００を示す。ＰＯＮシステムは、ＯＬＴ及び少なくとも１つのＯＮＵを含む。ＯＮＵ９００は、送信機９１０、受信機９２０、及びプロセッサ９３０を含む。受信機９２０及び送信機９１０は、波長分割多重化器を用いて接続されてよい。
【０１２２】
送信機９１０は、第１メッセージをＯＬＴへ第１アップストリームチャネルを通じて送信するよう構成され、ここで、第１メッセージは、ＯＬＴにより、第１ＯＮＵの第１ラウンドトリップ時間ＲＴＴを第１メッセージの受信時点に基づき決定するために使用される。
【０１２３】
受信機９２０は、ＯＬＴによりダウンストリームチャネルを通じて送信された第１指示情報を受信するよう構成され、ここで、第１指示情報は時間ウインドウを含み、時間ウインドウはＯＬＴにより第１ＲＴＴに基づき決定される。
【０１２４】
送信機９１０は、第２メッセージを第２アップストリームチャネルを通じて時間ウインドウ内で送信するよう更に構成され、ここで、第２メッセージは、ＯＬＴにより、第１ＯＮＵの第２ＲＴＴを第２メッセージの受信時点に基づき決定するために使用される。任意で、第２アップストリームチャネルに対応する周波数ドメインリソースは、第１アップストリームチャネルに対応する周波数ドメインリソースと異なる。
【０１２５】
プロセッサ９３０は、ＯＮＵをＰＯＮシステムに時間ウインドウに基づき登録するよう構成される。
【０１２６】
任意で、ＯＮＵ９００内の受信機９２０及び送信機９１０は、幾つかのモジュールを含んでよい。例えば、受信機９２０は受信モジュールを含んでよく、送信機９１０は送信モジュールを含んでよい。これは、本願の本実施形態において限定されない。
【０１２７】
本願の本実施形態におけるＯＮＵ９００は、１つの通信機セットのみがあればよく、実装が比較的容易であり、より少ないコストを必要とし、工業的用途のより低い制約条件を有し、工業的商業的用途において非常に高い実現可能性及び操作性を有する。さらに、本願の本実施形態におけるＯＮＵ９００は、省エネルギを柔軟に実施し得る。
【０１２８】
任意で、一実施形態では、受信機９２０は、
第１ＯＮＵにより、ＯＬＴによりダウンストリームチャネルを通じて送信された第２指示情報を受信するよう更に構成され、ここで第２指示情報は第１ＯＮＵに登録を実行するよう指示するために使用される。
【０１２９】
送信機９１０は、具体的に、
ＯＬＴへ第１アップストリームチャネルを通じて、第２指示情報に応答する第１メッセージを送信するよう構成される。
【０１３０】
任意で、一実施形態では、プロセッサ９３０は、具体的に、
ＯＬＴによりダウンストリームチャネルを通じて送信された補償遅延又は帯域幅許可を受信して、登録動作を完了するよう構成される。
【０１３１】
本願の本実施形態によるＯＮＵ９００は、本願の実施形態における第１ＯＮＵ側の方法を実行してよく、ＯＮＵ９００内のモジュールの前述の及び他の動作及び／又は機能は、前述の方法の対応する手順を実施するために別個に使用される。簡潔さのために、詳細はここで再び記載されない。
【０１３２】
したがって、本願の本実施形態におけるＯＮＵ９００は、第１メッセージをＯＬＴへ送信し、ここで第１メッセージはＯＬＴにより第１ＯＮＵの第１ラウンドトリップ時間ＲＴＴを決定するために使用され、第１ＯＮＵにより送信された時間ウインドウを受信し、及び時間ウインドウ内で登録を実行する。その結果、ＯＬＴは精細な第２ＲＴＴを計算する。したがって、ウインドウイング起動により引き起こされる遅延は効果的に低減でき、実装は容易であり、コストは比較的低くなり得る。
【０１３３】
図１０は、本願の別の実施形態による受動光ネットワークＰＯＮシステムにおける光回線終端装置ＯＬＴ１０００を示す。ＰＯＮシステムは、ＯＬＴ及び少なくとも１つのＯＮＵを含む。図１０に示すように、ＯＬＴ１０００は、受信モジュール１０１０、処理モジュール１０２０、及び送信モジュール１０３０を含む。
【０１３４】
受信機１０１０は、少なくとも１つのＯＮＵのうちの第１ＯＮＵにより第１アップストリームチャネルを通じて送信された第１メッセージを受信するよう構成される。
【０１３５】
処理モジュール１０２０は、第１ＯＮＵの第１ラウンドトリップ時間ＲＴＴを第１メッセージの受信時点に基づき決定し、時間ウインドウを第１ＲＴＴに基づき決定するよう構成される。
【０１３６】
処理モジュール１０２０は、時間ウインドウを第１ＲＴＴ又は測定距離に基づき決定するよう更に構成される。
【０１３７】
送信モジュール１０３０は、第１指示情報を第１ＯＮＵへダウンストリームチャネルを通じて送信するよう構成され、第１指示情報は時間ウインドウを含む。
【０１３８】
受信モジュール１０１０は、第１ＯＮＵにより第２アップストリームチャネルを通じて時間ウインドウ内に送信された第２メッセージを受信するよう更に構成される。任意で、第２アップストリームチャネルに対応する周波数ドメインリソースは、第１アップストリームチャネルに対応する周波数ドメインリソースと異なる。
【０１３９】
処理モジュール１０２０は、第１ＯＮＵの第２ＲＴＴを第２メッセージの受信時点に基づき決定し、第１ＯＮＵの登録動作を第２ＲＴＴに基づき完了するよう更に構成される。
【０１４０】
本願の本実施形態におけるＯＬＴ１０００内のモジュールは、前述のＯＬＴ８００内に存在してよい。言い換えると、ＯＬＴ１０００及びＯＬＴ８００は、本願の本実施形態をソフトウェア及びハードウェアの組み合わせの形式で実施してよい。これは限定されない。
【０１４１】
任意で、一実施形態では、送信モジュール１０３０は、
ＯＬＴにより、第２指示情報を第１ＯＮＵへダウンストリームチャネルを通じて送信するよう更に構成され、ここで第２指示情報は第１ＯＮＵに登録を実行するよう指示するために使用される。
【０１４２】
受信モジュール１０１０は、具体的に、
ＯＬＴにより、第１ＯＮＵにより第１アップストリームチャネルを通じて送信された、第２指示情報に応答する第１メッセージを受信するよう構成される。
【０１４３】
任意で、一実施形態では、送信モジュール１０３０は、
許可リソースを少なくとも１つのＯＮＵのうちの第２ＯＮＵへダウンストリームチャネルを通じて送信するよう更に構成され、ここで許可リソースに対応する時間ドメイン単位は時間ウインドウに対応する時間ドメイン単位とずらされる。
【０１４４】
受信機１０１０は、ＯＬＴにより、第２ＯＮＵにより第２アップストリームチャネルを通じて送信されたアップストリームサービスデータを受信するよう更に構成される。
【０１４５】
任意で、一実施形態では、処理モジュール１０２０は、具体的に、
第１ＯＮＵが登録動作を完了するように、補償遅延又は帯域幅許可を第１ＯＮＵへダウンストリームチャネルを通じて第２ＲＴＴに基づき送信するよう構成される。
【０１４６】
任意で、一実施形態では、第１メッセージは光信号であり、光信号は、第１ＯＮＵのシリアル番号ＳＮ又は媒体アクセス制御ＭＡＣアドレスを伝達する。
【０１４７】
本願の本実施形態によるＯＬＴ１０００は、本願の実施形態におけるＯＬＴ側の方法を実行してよく、ＯＬＴ１０００内のモジュールの前述の及び他の動作及び／又は機能は、前述の方法の対応する手順を実施するために別個に使用される。簡潔さのために、詳細はここで再び記載されない。
【０１４８】
したがって、本願の本実施形態のＯＬＴ１０００は、少なくとも１つのＯＮＵのうちの第１ＯＮＵにより第１アップストリームチャネルを通じて送信された第１メッセージを受信し、第１ＯＮＵの第１ＲＴＴを第１メッセージの受信時点に基づき決定し、時間ウインドウを第１ＲＴＴに基づき決定し、第１ＯＮＵに登録を時間ウインドウ内で実行するよう指示し、精細な第２ＲＴＴを取得する。その結果、ウインドウイング起動により引き起こされる遅延は効果的に削減でき、実装は容易であり、コストは低減される。
【０１４９】
図１１は、本願の別の実施形態による受動光ネットワークＰＯＮシステムにおける光ネットワークユニットＯＮＵ１１００を示す。ＰＯＮシステムは、ＯＬＴ及び少なくとも１つのＯＮＵを含む。図１１に示すように、ＯＮＵ１１００は、送信モジュール１１１０、受信モジュール１１２０、及び処理モジュール１１３０を含む。
【０１５０】
送信モジュール１１１０は、第１メッセージをＯＬＴへ第１アップストリームチャネルを通じて送信するよう構成され、ここで、第１メッセージは、ＯＬＴにより、第１ＯＮＵの第１ラウンドトリップ時間ＲＴＴを第１メッセージの受信時点に基づき決定するために使用される。
【０１５１】
受信モジュール１１２０は、ＯＬＴによりダウンストリームチャネルを通じて第１指示情報を受信するよう構成され、ここで、第１指示情報は時間ウインドウを含み、時間ウインドウはＯＬＴにより第１ＲＴＴに基づき決定される。
【０１５２】
送信モジュール１１１０は、第２メッセージを第２アップストリームチャネルを通じて時間ウインドウ内に送信するよう更に構成され、ここで、第２メッセージは、ＯＬＴにより、第１ＯＮＵの第２ＲＴＴを第２メッセージの受信時点に基づき決定するために使用される。任意で、第２アップストリームチャネルに対応する周波数ドメインリソースは、第１アップストリームチャネルに対応する周波数ドメインリソースと異なる。
【０１５３】
処理モジュール１１３０は、ＯＮＵをＰＯＮシステムに時間ウインドウに基づき登録するよう構成される。
【０１５４】
任意で、一実施形態では、受信モジュール１１２０は、
ＯＬＴによりダウンストリームチャネルを通じて送信された第２指示情報を受信するよう更に構成され、ここで第２指示情報は第１ＯＮＵに登録を実行するよう指示するために使用される。
【０１５５】
送信モジュール１１１０は、具体的に、
ＯＬＴへ第１アップストリームチャネルを通じて、第２指示情報に応答する第１メッセージを送信するよう構成される。
【０１５６】
任意で、一実施形態では、処理モジュール１１３０は、具体的に、
第１ＯＮＵにより、ＯＬＴによりダウンストリームチャネルを通じて送信された補償遅延又は帯域幅許可を受信して、登録動作を完了するよう構成される。
【０１５７】
本願の本実施形態におけるＯＮＵ１０００内のモジュールは、前述のＯＮＵ９００内に存在してよい。言い換えると、ＯＮＵ１１００及びＯＮＵ９００は、本願の本実施形態をソフトウェア及びハードウェアの組み合わせの形式で実施してよい。これは限定されない。
【０１５８】
本願の本実施形態によるＯＮＵ１１００は、本願の実施形態における第１ＯＮＵ側の方法を実行してよく、ＯＮＵ１１００内のモジュールの前述の及び他の動作及び／又は機能は、前述の方法の対応する手順を実施するために別個に使用される。簡潔さのために、詳細はここで再び記載されない。
【０１５９】
したがって、本願の本実施形態におけるＯＮＵ１１００は、第１メッセージをＯＬＴへ送信し、ここで第１メッセージはＯＬＴにより第１ＯＮＵの第１ラウンドトリップ時間ＲＴＴを決定するために使用され、第１ＯＮＵにより送信された時間ウインドウを受信し、及び時間ウインドウ内で登録を実行する。その結果、ＯＬＴは精細な第２ＲＴＴを計算する。したがって、ウインドウイング起動により引き起こされる遅延は効果的に低減され得る。
【０１６０】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用し得るが、実装が本願の実施形態の範囲を超えると考えられるべきではない。
【０１６１】
便宜上及び簡潔な説明のために、前述のシステム、装置、及びユニットの特定の動作処理については、前述の方法の実施形態における対応する処理を参照してよく、詳細はここで再び記載されないことが、当業者により明らかに理解され得る。
【０１６２】
本願において提供される幾つかの実施形態では、開示のシステム、機器、及び方法は他の方法で実装されてよいことが理解されるべきである。例えば、記載した機器の実施形態は単なる例である。例えば、ユニット分割は、単なる論理的機能分割であり、実際の実装中の他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電子的、機械的又は他の形式で実装されてよい。
【０１６３】
別個の部分として記載されたユニットは、物理的に別個であってよく又はそうでなくてよい。また、ユニットとして表示された部分は、物理的なユニットであってよく又はそうでなくてよく、具体的に言うと、１カ所に置かれてよく又は複数のネットワークユニットに分散されてよい。一部又は全部のユニットは、実施形態のソリューションの目的を達成するために実際の要件に基づき選択されてよい。
【０１６４】
さらに、本発明の実施形態における機能ユニットは、１つの処理ユニットに統合されてよく、或いは各ユニットが物理的に単独で存在してよく、或いは２以上のユニットが１つのユニットに統合されてよい。
【０１６５】
機能がソフトウェア機能ユニットの形式で実装され、独立した製品として販売され又は使用されるとき、機能は、コンピュータ可読記憶媒体に格納されてよい。このような理解に基づき、本願の実施形態における基本的技術的ソリューション、又は従来技術に貢献する部分、又は一部の技術的ソリューションは、ソフトウェアプロダクトの形式で実施されてよい。コンピュータソフトウェアプロダクトは、記憶媒体に格納され、コンピュータ装置（パーソナルコンピュータ、サーバ、ネットワーク装置、等であってよい）に、本願の実施形態で記載された方法のステップの全部又は一部を実行するよう指示する複数の命令を含む。前述の記憶媒体は、USBフラッシュドライブ、取り外し可能ハードディスク、読み出し専用メモリ（ROM、Read-Only  Memory）、ランダムアクセスメモリ（RAM、Random  Access  Memory）、磁気ディスク又は光ディスクのような、プログラムコードを格納可能な任意の媒体を含む。
【０１６６】
上述の説明は、本願の実施形態の単なる特定の実装であり、本願の実施形態の保護範囲を制限することを意図しない。本願の実施形態で開示された技術範囲内にある、当業者により直ちに考案される任意の変形又は置換は、本願の実施形態の保護範囲に包含されるべきである。したがって、本願の実施形態の保護範囲は、請求項の保護範囲に従うべきである。
【図１】
0006877566.tif 000002
【図２】
0006877566.tif 000003
【図３】
0006877566.tif 000004
【図４】
0006877566.tif 000005
【図５】
0006877566.tif 000006
【図６】
0006877566.tif 000007
【図７】
0006877566.tif 000008
【図８】
0006877566.tif 000009
【図９】
0006877566.tif 000010
【図１０】
0006877566.tif 000011
【図１１】
0006877566.tif 000012